(57)【要約】【課題】リサイクル率を向上することができる吸引物品回収支援システムを提供する。【解決手段】１つまたは複数の素材から構成される、吸引物品の回収対象物が付帯可能な台紙に付与された台紙識別情報を取得する取得部と、回収対象物を識別する回収対象物識別情報と素材情報とを記憶する素材情報記憶部と、前記取得部によって得られた台紙識別情報に応じた回収対象物識別情報に基づいて素材情報を得る素材情報取得部と、を有する。【選択図】図１
2020170447.tif 000002
【特許請求の範囲】
【請求項１】
１つまたは複数の素材から構成される、吸引物品の回収対象物が付帯可能な台紙に付与された台紙識別情報を取得する取得部と、
回収対象物を識別する回収対象物識別情報と素材情報とを記憶する素材情報記憶部と、
前記取得部によって得られた台紙識別情報に応じた回収対象物識別情報に基づいて素材情報を得る素材情報取得部と、
を有する吸引物品回収支援システム。
【請求項２】
前記台紙識別情報は、吸引物品の銘柄を識別する銘柄識別情報に関連付けられており、
前記素材情報取得部は、前記銘柄識別情報に対応する回収対象物識別情報を判別し、当該回収対象物識別情報に対応する素材情報を前記素材情報記憶部から取得する
請求項１記載の吸引物品回収支援システム。
【請求項３】
前記取得部は、前記回収対象物が取り付けられた台紙を回収する回収拠点に設置され当該設置される回収拠点を把握可能な回収容器情報が付与された回収容器から当該回収容器に入れられた台紙の台紙識別情報を取得するとともに、当該回収容器の回収容器識別情報を取得する
請求項１または請求項２に記載の吸引物品回収支援システム。
【請求項４】
前記台紙識別情報は、ユーザを識別するユーザ識別情報が関連付けされており、
前記吸引物品回収支援システムは、
前記台紙識別情報に対応するユーザ識別情報毎に、前記素材情報取得部によって得られた素材情報を集計する集計部
を有する請求項１または請求項２に記載の吸引物品回収支援システム。
【請求項５】
前記集計部は、台紙識別情報に対応する回収拠点識別情報毎に、前記素材情報取得部によって得られた素材情報を集計する
請求項４に記載の吸引物品回収支援システム。
【請求項６】
前記回収容器は、前記回収拠点において、銘柄またはメーカ毎に互いに異なる回収容器が設置される
請求項３に記載の吸引物品回収支援システム。
【請求項７】
前記集計部が集計した結果に基づいて、ユーザ、回収拠点、メーカのうち少なくともいずれか１つに対してインセンティブを付与するインセンティブ付与部
を有する請求項４または請求項５に記載の吸引物品回収支援システム。
【請求項８】
前記台紙識別情報と、当該台紙が入れられた回収容器の回収容器情報とを読み取り可能な読み取り部が、回収経路のいずれかに設けられており、
前記取得部は、前記台紙が入れられた前記回収容器が前記読み取り部によって読み取られた前記台紙識別情報と当該台紙が入れられた回収容器の回収容器情報とを取得する
請求項３または請求項６に記載の吸引物品回収支援システム。
【請求項９】
前記回収容器情報は、電子タグに記憶された情報または機械読取コードである
請求項８に記載の吸引物品回収支援システム。
【請求項１０】
前記台紙または前記台紙識別情報は、前記吸引物品を利用するユーザのプリンタによって印刷可能な情報である
請求項１から請求項９のうちいずれか１項に記載の吸引物品回収支援システム。
【請求項１１】
取得部が、１つまたは複数の素材から構成される、吸引物品の回収対象物が付帯可能な台紙に付与された台紙識別情報を取得し、
素材情報取得部が、回収対象物を識別する回収対象物識別情報と素材情報とを記憶する素材情報記憶部を参照し、前記取得部によって得られた台紙識別情報に応じた回収対象物識別情報に基づいて素材情報を得る
吸引物品回収支援方法。
【発明の詳細な説明】
【技術分野】
【０００１】
本発明は、吸引物品回収支援システム、吸引物品回収支援方法に関する。
【背景技術】
【０００２】
近年、加熱式たばこ（あるいは電子たばこ）が流通している（例えば特許文献１）。加熱式たばこは、複数の部材によって構成される。例えば、加熱式たばこは、電源、発熱部品、カプセル、カートリッジ（あるいはアトマイザー）等を含んで構成される。これらの部材は、それぞれ少なくとも１つの素材を含む。
加熱式たばこにおいて、カプセル、カートリッジ等は消耗品であり、ユーザによって一定量使用されたあとは、廃棄される。
【先行技術文献】
【特許文献】
【０００３】
【特許文献１】特許第５９５８８４６号公報
【発明の概要】
【発明が解決しようとする課題】
【０００４】
しかしながら、加熱式たばこの部品は、単に廃棄してしまうのではなく、リサイクルできることが望ましい。
【０００５】
本発明は、このような事情に鑑みてなされたもので、その目的は、リサイクル率を向上することができる吸引物品回収支援システム、吸引物品回収支援方法を提供することにある。
【課題を解決するための手段】
【０００６】
上述した課題を解決するために、本発明の一態様は、１つまたは複数の素材から構成される、吸引物品の回収対象物が取り付け可能な台紙に付与された台紙識別情報を取得する取得部と、回収対象物を識別する回収対象物識別情報と素材情報とを記憶する素材情報記憶部と、前記取得部によって得られた台紙識別情報に応じた回収対象物識別情報に基づいて素材情報を得る素材情報取得部と、を有する。
【０００７】
また、本発明の一態様は、取得部が、１つまたは複数の素材から構成される、吸引物品の回収対象物が取り付け可能な台紙に付与された台紙識別情報を取得し、素材情報取得部が、回収対象物を識別する回収対象物識別情報と素材情報とを記憶する素材情報記憶部を参照し、前記取得部によって得られた台紙識別情報に応じた回収対象物識別情報に基づいて素材情報を得る吸引物品回収支援方法である。
【発明の効果】
【０００８】
以上説明したように、この発明によれば、どの部材をどの程度回収出来たかを把握することで、リサイクル率を向上させることができる。
【図面の簡単な説明】
【０００９】
【図１】この発明の一実施形態による回収支援システム１の構成を示す概略ブロック図である。
【図２】回収管理サーバ２０の構成を示す概略機能ブロック図である。
【図３Ａ】台紙９０の表面の外観の一例を示す図である。
【図３Ｂ】台紙９０の裏面の外観の一例を示す図である。
【図４】回収容器９５の外観の一例を示す斜視図である。
【図５】素材情報記憶部２０２に記憶される情報の一例を示す図である。
【図６Ａ】回収データ記憶部２０４に記憶される情報の一例を示す図である。
【図６Ｂ】ユーザ別に素材処理情報を記憶する場合の一例を示す図である。
【図６Ｃ】回収拠点別に素材処理情報を記憶する場合の一例を示す図である。
【図６Ｄ】メーカ別に素材処理情報を記憶する場合の一例を示す図である。
【図７Ａ】ユーザ識別情報とポイントとが対応付けられた情報の一例を示す図である。
【図７Ｂ】回収拠点識別情報とポイントとが対応付けられた情報の一例を示す図である。
【図８】回収支援システム１の動作を説明する図である。
【発明を実施するための形態】
【００１０】
以下、本発明の一実施形態による回収支援システムについて図面を参照して説明する。
図１は、この発明の一実施形態による回収支援システム１の構成を示す概略ブロック図である。
回収支援システム１は、メーカサーバ１０、回収管理サーバ２０、ユーザ端末３０、回収拠点端末４０、回収業者端末５０、リサイクラー端末６０、ネットワーク７０を含み、吸引物品（例えば、加熱式たばこ８０または電子たばこ）に用いられる部材のリサイクルの管理をする。吸引物品は、リキッドまたはタバコ葉を加熱し利用者が吸引する際に利用される物品である。
メーカサーバ１０は、メーカ１１によって利用される。回収管理サーバ２０は、サービス運営者２１によって利用される。ユーザ端末３０は、ユーザ３１によって利用される。
回収拠点端末４０は、回収拠点の担当者によって利用される。回収業者端末５０は、回収業者によって利用される。リサイクラー端末６０は、リサイクラーによって利用される。リサイクラー端末６０には、読み取り装置６０ａが接続される。読み取り装置６０ａは、機械読取コード（バーコード、二次元バーコードなど）を光学的に読み取るバーコードリーダや、電子タグに記憶された情報を無線によって読み取るタグリーダを用いることができる。
【００１１】
ネットワーク７０は、メーカサーバ１０、回収管理サーバ２０、ユーザ端末３０、回収拠点端末４０、回収業者端末５０、リサイクラー端末６０を通信可能に接続する。ネットワーク７０は、インターネットやＬＡＮ（local area network）等を含んで構成することができ、有線で接続されてもよく、一部の区間が無線であってもよい。
【００１２】
〈回収支援システムの回収の概要〉
本実施形態において、吸引物品が加熱式たばこ８０である場合を一例として説明する。吸引物品は、たばこを喫煙等する場合に用いられる物品であればよく、加熱式たばこ８０以外に、電子たばこであってもよい。
加熱式たばこ８０に用いられる部材を回収する大きな流れとしては、ユーザ３１が、加熱式たばこ８０を利用した後、加熱式たばこ８０の部材を台紙９０に貼り付け、回収拠点４１に持参し、回収拠点４１に設置された回収容器（回収箱、回収袋等）に入れる。回収拠点４１は、たばこの販売をしているか否かはいずれであってもよく、たばこの販売店や、公共施設（市役所、区役所等）、コンビニエンスストア、スーパー等であってもよい。
【００１３】
回収業者５１は、回収タイミングが到来すると、回収拠点４１に設置された回収容器内の台紙または回収容器ごと回収し、リサイクラー６１まで搬送する。台紙９０は、加熱式たばこ８０の回収対象の部材が付帯可能な台紙であり、例えば、回収対象物の部材が取り付けられた状態で回収される。台紙９０に対する付帯は、回収対象の部材が台紙９０に対して付随することができればよく、例えば、回収対象の部材を粘着材等で貼り付けるようにしてもよいし、台紙９０が箱状の形状にされ回収対象の部材を収容するようにしてもよい。
リサイクラー６１は、回収された台紙９０に付与された台紙識別情報を読み取り装置６０ａによって読み取る。台紙９０は、回収容器に入れられた状態で回収される。この場合、リサイクラーは、回収容器に付与された回収容器情報と、この回収容器に入れられた台紙の台紙識別情報とを読み取る。これにより、どの回収拠点４１においてどの台紙９０が回収されたかの対応付けがされる。台紙９０は回収容器に入れられた状態で回収されてもよいし、回収容器情報が付与された袋等に台紙９０を移してから回収されてもよい。
【００１４】
なお、この実施形態において、リサイクラーが回収容器情報と台紙識別情報とを読み取る場合について説明するが、読み取り装置は、回収経路のいずれかの位置に設けられればよい。回収経路は、回収拠点、回収業者、リサイクラーのいずれかの活動場所であればよい。例えば、回収拠点４１に、回収拠点端末と読み取り装置を設置し、回収拠点４１に設置された回収容器の回収容器情報と、回収容器に入れられた台紙識別情報とを回収拠点４１の管理者が読み取り、その後、回収業者に回収容器ごと回収してもらうようにしてもよい。この場合、リサイクラー６１は、回収容器情報と台紙識別情報とを読み取る必要がない。また、回収業者が、回収業務を行う何れかの場所において読み取り装置を用いて、回収容器情報と台紙識別情報とを読み取るようにしてもよい。
例えばリサイクラー６１のリサイクル拠点が複数存在する場合、リサイクラーに搬送する前の回収経路で回収業者が読み取りを行い、回収管理サーバ２０が、後述のように各回収拠点から回収される素材量等の情報と、各リサイクル拠点でのキャパシティ等のリサイクラー情報を考慮してどのリサイクル拠点に配送するかを決定しても良い。そして、回収管理サーバ２０が、回収拠点の端末あるいは読み取り装置に、いずれのリサイクラーに配送すればよいかを示す配送先を通知するようにしてもよい。これにより、回収業者が読み取り装置で読み取りを行った段階で、どのリサイクラーに配送すればよいかを把握し、仕分け等をすることができる。
【００１５】
〈加熱式たばこ８０について〉
加熱式たばこ８０は、デバイス、吸い口部等の複数の部材から構成され、デバイスは、電源部と蒸気発生部（アトマイザー）とを備える。銘柄によっては、これらの部材の一部または全部が他の部材に組み込まれる場合もある。また、これらの部材のいずれかが複数の部材に分けられる場合もある。また、これらの部材は、１つまたは複数の素材（金属、プラスチック等）から構成される。
なお、加熱式たばこ８０の部材構成、素材の組み合わせ、名称等はメーカや銘柄によって異なるものもある。
この実施形態においては、回収対象である「たばこ」は、加熱式たばこまたは電子たばこである。本実施形態においては、回収対象のたばことして、加熱式たばこを一例として説明する。電子たばこは、加熱式たばこと比較すると、たばこ葉を使用していない点が主な相違点である。
【００１６】
加熱式たばこ８０を構成する部材のうち、電源部は、ケース、バッテリー、基盤、電力供給線、充電端子、ランプ等の部材が組み合わされることで構成される。電源部は、リチウムイオン電池、銅、プラスチック等の素材から構成される。
電源部は、蒸気発生部に電力を供給する。電源部は、内部に収容された充電池の電力の残量が低下した場合には、充電することで繰り返し利用することができる。
【００１７】
蒸気発生部は、加熱部、カートリッジ等の部材が組み合わされることで構成される。
蒸気発生部は、一定の度合い（時間、回数、量）まで使用可能な消耗品である。
加熱部は、カートリッジ内の液体（リキッド）を加熱することで蒸気を発生させる。加熱部は、プラスチック、銅、ニクロム線等の素材から構成される。
カートリッジは、リキッドが染み込んだ綿が収容されている。カートリッジは、ケース、綿等が組み合わされて構成され、プラスチック、ポリエステル等の素材から構成される。カートリッジは、蒸気発生部によって加熱されると、リキッドが気化することで蒸気を発生させる。リキッドは、例えば、グリセリン等が用いられる。
【００１８】
吸い口部は、カプセルが収容される。カプセルは、たばこ葉を収容している。
吸い口部は、ユーザによって加えられた状態で吸い込まれることで、蒸気発生部において発生した蒸気がカプセルを通過し、ユーザに導入される。なお、銘柄によっては、カプセル内のたばこ葉をヒータによって直接加熱するタイプもある。
【００１９】
〈回収管理サーバ２０の構成〉
図２は、回収管理サーバ２０の構成を示す概略機能ブロック図である。
回収管理サーバ２０は、情報取得部２０１、素材情報記憶部２０２、素材情報取得部２０３、回収データ記憶部２０４、集計部２０５、インセンティブ付与部２０６、ポイント記憶部２０７、通信部２０８、記憶部２０９、制御部２１０を含む。
【００２０】
読み取り情報取得部２０１は、１つまたは複数の素材から構成される、吸引物品の回収対象物が取り付け可能な台紙に付与された台紙識別情報を取得する。
読み取り情報取得部２０１は、台紙識別情報が読み取り装置６０ａによって読み取られ、当該読み取り装置６０ａが接続されたリサイクラー端末６０から送信される台紙識別情報を取得する。
また、読み取り情報取得部２０１は、回収拠点に設置され回収容器情報が付与された回収容器から当該回収容器に入れられた台紙の台紙識別情報を取得するとともに、当該回収容器の回収容器情報を取得する。例えば、読み取り情報取得部２０１は、台紙が入れられた回収容器が回収業者によってリサイクラーの拠点に運ばれ、読み取り装置６０ａによって読み取られた台紙識別情報と、当該台紙が入れられた回収容器の回収容器情報とを取得する。
【００２１】
〈台紙について〉
図３は、台紙９０の外観の一例を示す図である。図３Ａは、台紙９０の表面の外観の一例を示す図であり、図３Ｂは、台紙９０の裏面の外観の一例を示す図である。
図３Ａにおいて、台紙９０の表面には、台紙名称記載欄９０ａ、台紙識別情報９０ｂ、折り線９０ｃ、使用方法説明欄９０ｄが設けられている。
台紙名称記載欄９０ａは、台紙９０の名称が記載される。例えば、台紙９０の名称は、「加熱式たばこリサイクルシート  銘柄：○○  カートリッジ用」である。ここでは、台紙９０の名称は、銘柄と回収対象の部材（回収対象物）についても含む名称が付与されており、どのような銘柄、回収対象の部材に用いられる台紙であるかを確認し易くなっている。
【００２２】
台紙識別情報９０ｂは、例えば、加熱式たばこの銘柄を識別する銘柄識別情報、加熱式たばこのメーカを識別するメーカ識別情報、ユーザを識別するユーザ識別情報のうち少なくともいずれか１つを識別する情報が含まれていてもよい。台紙識別情報９０ｂと銘柄識別情報、メーカ識別情報、ユーザ識別情報との関連付けは、台紙識別情報に、銘柄識別情報、メーカ識別情報、ユーザ識別情報のいずれかの情報が含まれていることで、これら含まれたいずれかの情報と台紙識別情報とを関連付けすることができる。
また、台紙識別情報９０ｂは、台紙を個別に識別できれば、銘柄識別情報、メーカ識別情報、ユーザ識別情報を含んでいなくてもよい。この場合、台紙識別情報９０ｂと銘柄識別情報、メーカ識別情報、ユーザ識別情報との関連付けは、後述する回収データ記憶部２０４において、台紙識別情報に、銘柄識別情報、メーカ識別情報、ユーザ識別情報のいずれかの情報を対応付けて記憶される。これにより、台紙識別情報と他の識別情報とが関連付けされていてもよい。例えば、図６において、台紙識別情報は、ユーザ識別情報、銘柄識別情報、メーカ識別情報等と関連付けされている。そのため、台紙識別情報９０ｂに基づいて、回収データ記憶部２０４を参照することで、銘柄識別情報、メーカ識別情報、ユーザ識別情報のうち、台紙識別情報９０ｂに含まれていない情報を特定できるようになっている。
【００２３】
この実施形態においては、一例として、銘柄識別情報とユーザ識別情報とが含まれる場合について説明する。
この台紙識別情報９０ｂは、台紙９０に直接印刷されていることで付与されていてもよいし、機械読取コードが印刷されたシール等が台紙に貼り付けられることで付与されていてもよい。
また、台紙識別情報９０ｂは、機械読取コードの形態で付与されている。機械読取コードは、バーコードまたは二次元バーコードが用いられる。この図においては、二次元バーコードが付与されている場合について図示されている。また、台紙識別情報９０ｂは、機械読取コードの他に、機械読取コードに対応した文字列も機械読取コードとともに付与されている。
【００２４】
折り線９０ｃは、台紙９０を折り畳むガイドとなる線であり、印刷されていてもよいし、ミシン目が入っていてもよい。この折り線９０ｃに沿って台紙を２つに折り畳むことができる。
使用方法説明欄９０ｄは、台紙９０の使用方法（説明文）が記載される。
【００２５】
図３Ｂにおいて、台紙９０の裏面には、貼り付け欄９０ｅが設けられている。
貼り付け欄９０ｅは、加熱式たばこ８０の回収対象の部材を貼り付ける位置を示す。ここでは、台紙９０の長手方向に複数の貼り付け欄９０ｅが並べられている。ユーザは、回収対象の部材を、貼り付け欄９０ｅに対応する位置にそれぞれ取り付ける。
取り付け方は、回収対象の部材を粘着テープによって台紙に貼り付けることで取り付けてもよい。
また、貼り付け欄９０ｅの領域が型抜きされており、貼り付け欄９０ｅの剥離紙を剥がすことで、台紙９０の粘着面を露出させ、回収対象の部材を貼り付けるようにしてもよい。
なお、台紙９０が折り線９０ｃに沿って折り畳まれる場合には、裏面が内側になるように折り畳まれるようにしてもよい。また、台紙９０が折り畳まれた際、台紙９０の長手方向における一方の端部ともう一方の端部とが貼り付けられるようにしてもよい。これにより、コンパクトにすることで、回収する際の取り扱いが容易になる。
【００２６】
〈回収容器について〉
図４は、回収容器９５の外観の一例を示す斜視図である。
回収容器９５の上面には、開口部９５ａが設けられる。開口部９５ａは、回収対象の部材が取り付けられた台紙をユーザによって投入可能である。また、開口部９５ａは、回収容器９５が回収業者によってリサイクラーに運ばれた後、リサイクラーによって、回収対象の部材が貼り付けられた台紙を取り出すことも可能である。開口部９５ａが設けられる位置は、他の面（例えば正面９５ｂの上部）であってもよい。
正面９５ｂには、回収容器名称記載欄９５ｃが設けられている。回収容器名称記載欄９５ｃは、回収容器の名称が記載される。例えば、回収容器の名称は、「加熱式たばこ  リサイクルＢＯＸ  銘柄：○○」である。回収容器名称記載欄９５ｃに回収容器の名称が記載されることで、加熱式たばこ８０のうちどの銘柄の回収対象の部材を回収するものであるかを把握しやすくなっている。
また、正面９５ｂには、二次元バーコード９５ｄが付与されている。
二次元バーコード９５ｄは、回収容器９５に直接印刷されていてもよし、二次元バーコード９５ｄが印刷されたシール等が貼付されていてもよい。
【００２７】
この二次元バーコード９５ｄに含まれる情報は、例えば、回収容器情報である。
ここでは、回収容器９５には、二次元バーコード９５ｄが付与される場合について説明するが、一次元のバーコードであってもよいし、電子タグであってもよい。電子タグは、例えば、非接触ＩＣ（Integrated Circuit)）タグを用いることができる。
この回収容器９５は、回収拠点毎に設けられる。また、回収容器９５は、１つの回収拠点において、加熱式たばこ８０の銘柄またはメーカ毎にそれぞれ別の回収容器が設置されるようにしてもよい。
ここで、回収容器情報は、回収容器が設置される回収拠点を把握することが可能な情報である。例えば、回収容器情報に、回収拠点識別情報が含まれるようにしてもよい。これにより、回収容器情報を解析することで、回収拠点識別情報を得ることができ、どの回収拠点に設置された回収容器であるかを簡単に把握することができる。
また、回収容器情報は、個別に識別する回収容器識別情報を用いるようにしてもよい。この場合、回収管理サーバ２０が、回収容器情報を発行した際に、回収容器識別情報と、当該回収容器が設置される回収拠点の回収拠点識別情報とを対応づけた情報を記憶部２０９に記憶させておき、回収容器識別情報が得られた場合には、この回収容器識別情報に対応する回収拠点識別情報を、記憶部２０９を参照するようにしてもよい。これにより、記憶部２０９を参照することで、回収容器情報から回収拠点識別情報を把握することができ、回収容器情報に基づいて、回収拠点を特定することができる。
【００２８】
〈素材情報記憶部２０２について〉
素材情報記憶部２０２は、回収対象物識別情報と素材情報とを記憶する。回収対象物識別情報は、回収対象物を識別する情報である。
図５は、素材情報記憶部２０２に記憶される素材管理データの一例を示す図である。
素材情報記憶部２０２は、回収対象物識別情報と素材情報とが対応付けられた素材管理データを記憶する。
回収対象物識別情報は、加熱式たばこ８０の回収対象物（回収対象の部材）を識別する情報である。この回収対象物識別情報は、回収対象物を識別することができる情報であればよい。例えば、加熱式たばこ８０のうち銘柄「Ａ」についての回収対象物が蒸気発生部である場合には、銘柄「Ａ」の蒸気発生部を特定することが可能な情報が用いられる。また、銘柄「Ａ」に含まれる部材のうち、回収対象物が１部材である場合（例えば蒸気発生部のみ回収対象とする場合）には、銘柄識別情報を把握することができれば回収対象物を特定することができるため、このような場合には、回収対象物識別情報として銘柄識別情報を用いることができる。また、銘柄「Ａ」に含まれる部材のうち、回収対象物が複数部材である場合（例えば、蒸気発生部とカプセル）には、銘柄識別情報に枝番号等を付し、この枝番号も含んで銘柄識別情報として用いることで、どの銘柄のどの部材が回収対象物であるかを識別できるようにしてもよい。以下、説明を簡単にするために、銘柄毎に回収対象物が１部材である場合について説明する。
【００２９】
素材情報は、素材名称と素材量とが対応付けられた情報である。
素材名称は、回収対象物識別情報によって特定される回収対象物に含まれる素材の名称である。回収対象物には、１つまたは複数の素材が含まれる。
素材量は、回収対象物識別情報によって特定される素材名称に対応する素材の量である。
例えば、回収対象物識別情報「ＡＡＡ００００１」である回収対象物は、３つの素材「素材Ａ」、「素材Ｂ」、「素材Ｃ」が含まれている。そして、「素材Ａ」の素材量は「ａ１グラム」、「素材Ｂ」の素材量は「ｂ１グラム」、「素材Ｃ」の素材量は「ｃ１グラム」であることを示す。
【００３０】
素材情報取得部２０３は、読み取り情報取得部２０１によって得られた台紙識別情報に応じた回収対象物識別情報に基づいて素材情報を得る。この場合、台紙識別情報に銘柄識別情報が含まれている場合には、銘柄識別情報に対応する回収対象物識別情報を判別し、当該回収対象物識別情報に対応する素材情報を素材情報記憶部２０２から取得する。回収対象物識別情報として銘柄識別情報が用いられる場合には、銘柄識別情報が得られることで回収対象物識別情報が得られる。
なお、回収対象物識別情報と銘柄識別情報とが異なる情報である場合には、回収対象物識別情報と銘柄識別情報とが対応付けられた情報を記憶部２０９に記憶しておき、素材情報取得部２０３が、これを参照することで、台紙識別情報に含まれる銘柄識別情報に応じた回収対象物識別情報を得ることができる。
また、素材情報取得部２０３は、回収対象物が取り付けられた台紙を回収する回収拠点に設置され当該設置される回収拠点を把握可能な回収容器情報が付与された回収容器から当該回収容器に入れられた台紙の台紙識別情報を取得するとともに、当該回収容器の回収容器識別情報を取得する。
【００３１】
回収データ記憶部２０４は、回収対象物が回収された状況を把握可能な情報を記憶する。
図６は、回収データ記憶部２０４に記憶される情報の一例を示す図である。回収データ記憶部２０４は、回収履歴情報と素材処理情報とを記憶する。
図６Ａは、回収履歴情報の一例を示す図であり、図６Ｂは、素材処理情報の一例を示す図である。
図６Ａにおいて、回収履歴情報は、台紙識別情報、ユーザ識別情報、銘柄識別情報、メーカ識別情報、回収拠点識別情報、回収日時の情報が含まれる。
回収日時は、読み取り装置６０ａによって台紙識別情報及び拠点識別情報が読み取られた日時を示す情報である。この回収日時を記憶することで、回収対象物が回収拠点に持ち込まれた時期を把握することができる。
【００３２】
図６Ｂは、ユーザ別に素材処理情報を記憶する場合の一例を示す図であり、ここでは、ユーザ識別情報と素材処理量とが対応付けて記憶される。素材処理量は、回収データ記憶部２０４に記憶された回収履歴情報に基づいて、集計部２０５によって集計された結果を表す情報である。この図６Ｂでは、回収履歴情報をユーザ別であって、当該ユーザが回収容器に入れた回収対象物から得られる素材のそれぞれの量を集計した結果の一例である。例えば、ユーザ識別情報「ｕｉｄ０００５１」のユーザが回収容器に入れた回収対象物から素材「Ｄ」について合計で「ｄ６」グラム、素材「Ｅ」について合計で「ｅ６」グラム回収されたことを示す。
【００３３】
図６Ｃは、回収拠点別に素材処理情報を記憶する場合の一例を示す図であり、ここでは、回収拠点識別情報と素材処理量とが対応付けて記憶される。素材処理量は、回収データ記憶部２０４に記憶された回収履歴情報に基づいて、集計部２０５によって集計された結果を表す情報である。この図６Ｃでは、回収履歴情報を回収拠点別であって、当該回収拠点に設置された回収容器に入れられた回収対象物から得られる素材のそれぞれの量を集計した結果の一例である。例えば、回収拠点識別情報「ｒｅｉｄ０００６１」の回収拠点では素材「Ｄ」について合計で「ｄ６１」グラム、素材「Ｅ」について合計で「ｅ６１」グラム、素材「Ｆ」について合計で「ｆ９１」グラム回収されたことを示す。
【００３４】
図６Ｄは、メーカ別に素材処理情報を記憶する場合の一例を示す図であり、ここでは、メーカ識別情報と素材処理量とが対応付けて記憶される。素材処理量は、回収データ記憶部２０４に記憶された回収履歴情報に基づいて、集計部２０５によって集計された結果を表す情報である。この図６Ｄでは、回収履歴情報をメーカ別であって、当該メーカが取り扱っている銘柄の加熱式たばこ８０の回収対象物から得られる素材のそれぞれの量を集計した結果の一例である。例えば、メーカ識別情報「ｍｆｉｄ０００３１」のメーカでは素材「Ｄ」について合計で「ｄ６５」グラム、素材「Ｅ」について合計で「ｅ６５」グラム、素材「Ｆ」について合計で「ｆ６５」グラム回収されたことを示す。
【００３５】
集計部２０５は、回収データ記憶部２０４に記憶された情報に基づいて、台紙識別情報に含まれるいずれかの識別情報毎に、素材情報取得部２０３によって得られた素材情報を集計する。例えば、集計部２０５は、台紙識別情報に対応するユーザ識別情報毎に、素材情報取得部２０３によって得られた素材情報を集計することで、図６Ｂに示すようなユーザ別の素材処理情報を生成し、回収データ記憶部２０４に記憶する。
また、集計部２０５は、台紙識別情報に対応する回収拠点識別情報毎に、素材情報取得部２０３によって得られた素材情報を集計することで、図６Ｃに示すような回収拠点別の素材処理情報を生成し、回収データ記憶部２０４に記憶する。
また、集計部２０５は、台紙識別情報に対応するメーカ識別情報毎に、素材情報取得部２０３によって得られた素材情報を集計することで、図６Ｄに示すような回収拠点別の素材処理情報を生成し、回収データ記憶部２０４に記憶する。
【００３６】
インセンティブ付与部２０６は、集計部２０５が集計した結果に基づいて、ユーザ、回収拠点、メーカのうち少なくともいずれか１つに対してインセンティブを付与する。インセンティブは、ポイント、物品（景品）の提供、サービスの提供、キャッシュバック等であってもよい。
インセンティブ付与部２０６は、ユーザ別の素材処理情報に基づいて、ポイントを算出する。ポイントの算出の仕方は任意であるが、例えば、ユーザによって回収容器９５に入れられた回収対象物（あるいは台紙）の数に応じて所定のポイントを付与してもよいし、素材量に応じてポイントを付与してもよい。
また、インセンティブ付与部２０６は、回収拠点別の素材処理情報に基づいて、ポイントを算出する。ポイントの算出の仕方は任意であるが、例えば、回収拠点に設置された回収容器９５に入れられた回収対象物（あるいは台紙）の数に応じて所定のポイントを付与してもよいし、素材量に応じてポイントを付与してもよい。
また、インセンティブ付与部２０６は、ユーザ端末３０からのポイント交換要求に応じて、ポイント数に応じた景品（インセンティブ）を付与する。
【００３７】
ポイント記憶部２０７は、インセンティブ付与部２０６によって付与されるポイントを記憶する。図７Ａは、ユーザ識別情報とポイントとが対応付けられた情報であり、ユーザ毎の保有ポイント数を示している。図７Ｂは、回収拠点識別情報とポイントとが対応付けられた情報であり、回収拠点毎の保有ポイント数を示している。
【００３８】
通信部２０８は、ネットワーク７０を介して外部の機器と通信を行い、各種情報を送信または受信する。通信部２０８は、リサイクラー端末６０から送信される、読み取り装置６０ａによって読み取られた情報（台紙識別情報、拠点識別情報）等を受信する。通信部２０８は、回収管理サーバ２０内において用いられた情報を外部の機器に出力することもできる。
【００３９】
記憶部２０９は、各種情報を記憶する。例えば、記憶部２０９は、ユーザ情報、拠点情報を記憶する。ユーザ情報は、ユーザ識別情報、ユーザの氏名、住所、電話番号、電子メールアドレス、銘柄等の情報を含む。この銘柄は、ユーザがよく利用する銘柄である。拠点情報は、回収拠点識別情報、回収拠点の施設の名称、住所、電話番号、電子メールアドレス等である。制御部２１０は、回収管理サーバ２０内の各部を制御する。
【００４０】
図８は、回収支援システム１の動作を説明する図である。
サービス運営者２１は、プラットフォームを準備する。ここでいうプラットフォームは、台紙、回収容器、各種データ（台紙識別情報、ユーザ識別情報、回収拠点識別情報等）である。場合によっては電子タグもプラットフォームとして準備される。
回収管理サーバ２０は、サービス運営者２１から入力される指示に基づいて、プラットフォーム生成の処理を実行する（ステップＳ１１）。例えば、回収管理サーバ２０は、台紙識別情報、ユーザ識別情報、回収拠点識別情報の登録処理を行う。
台紙識別情報は、回収管理サーバ２０がプラットフォームの作成段階で発行し、発行された台紙識別情報を回収データ記憶部２０４に記憶される。
ユーザ識別情報は、回収管理サーバ２０が、ユーザ端末３０からの発行要求を受信した際に発行され、回収データ記憶部２０４や記憶部２０９に記憶される。またユーザ識別情報は、他のサービスにおいて既に発行されたＩＤ（例えば、インターネットショッピングサイトにおいて発行されたＩＤ）を回収管理サーバ２０と連携することで登録してもよい。
回収拠点識別情報は、回収管理サーバ２０がプラットフォームの作成段階で発行し、発行された回収拠点識別情報を記憶部２０９に記憶するようにしてもよい。
【００４１】
次にユーザ３１は、ユーザ端末３０やプリンタを利用して台紙を準備する。ユーザ端末３０は、ユーザ３１から台紙の発行を指示する操作入力がなされると、台紙発行処理を行う（ステップＳ１２）。
台紙発行処理として、例えばユーザ端末３０は、回収管理サーバ２０の台紙発行のページにアクセスし、台紙発行ページにあるいずれかの銘柄（あるいは銘柄と回収対象の部材）をクリック等されることで、回収管理サーバ２０に台紙発行に必要な情報（ユーザ識別情報、銘柄識別情報）とともに台紙発行の指示を送信する。ここでは、ユーザ端末３０は、指定された銘柄に対応した銘柄識別情報（あるいは部材の枝番号を含む銘柄識別情報）と、台紙発行ページを参照する際にログインした際の情報から特定されるユーザ識別情報とを回収管理サーバ２０に送信する。
【００４２】
回収管理サーバ２０は、ユーザ端末３０から台紙発行指示と台紙発行に必要な情報を受信すると、受信した情報に応じて台紙識別情報を生成し、ユーザ端末３０に送信する。ここでは、回収管理サーバ２０が、台紙発行要求を受信した時点で、台紙識別情報に、ユーザ識別情報と銘柄識別情報とを含むようにして台紙識別情報を発行してもよいし、既に発行された台紙識別情報をユーザ端末３０に送信し、当該台紙識別情報に、ユーザ識別情報と銘柄識別情報とを対応付けして回収データ記憶部２０４に記憶するようにしてもよい。
なお、回収管理サーバ２０は、台紙発行要求があったことを表示画面や、サービス運営者２１が利用する端末装置に通知し、これに応じてサービス運営者２１が台紙を要求元のユーザ宛てに郵送するようにしてもよい。
【００４３】
ユーザ端末３０は、回収管理サーバ２０から台紙識別情報を受信すると、ユーザ端末３０に接続されたプリンタで印刷をする（ステップＳ１３）。ここでは、ユーザ端末３０は、台紙識別情報だけでなく台紙背景の情報も一緒に回収管理サーバ２０から受信し、図３Ａ、図３Ｂに示すようなレイアウトのデザインとともに台紙識別情報をプリンタによって印刷させる。ユーザ端末３０は、台紙識別情報のみを受信して台紙識別情報を印刷用紙に印刷してもよい。
台紙が発行（印刷）されると、台紙には、ユーザ３１によって、加熱式たばこ８０の回収対象物（使用済みの部材、故障したデバイス等）が貼り付けられる（ステップＳ１４）。例えば、使用済みのカートリッジ等の所定の回収対象物が貼り付けられる。
【００４４】
次に、規定数の回収対象物が台紙に貼り付けられると、ユーザ３１は、回収対象物が貼り付けられた台紙を回収拠点４１に持参する。ここで回収拠点４１には、回収容器９５は、回収拠点識別情報が付与された状態で、回収拠点４１設置されている。
回収容器９５は、ユーザ３１によって投入される、回収対象物が取り付けられた台紙を収容する（ステップＳ１５）。ここでは、回収容器９５は、銘柄等に応じて複数の回収容器９５が設置される場合もある。このような場合、ユーザは、持参した台紙に貼り付けられた回収対象物の銘柄に対応した回収容器に、回収対象物が貼り付けられた台紙を投入する。
【００４５】
回収業者５１は、回収タイミングが到来することに応じて、各回収拠点４１を巡回し、それぞれの回収拠点４１から、回収対象物が貼り付けられた台紙が収容された回収容器９５をそれぞれ回収する（ステップＳ１６）。回収タイミングは、任意のタイミングであってもよい。例えば回収タイミングは、定期的な周期であってもよいし、回収容器に収容された台紙の量がある程度貯まった時期（一定量に達するタイミング）であってもよい。１つの回収拠点４１に複数の回収容器９５がある場合には、それぞれ回収される。回収業者５１は、回収した回収容器９５をリサイクラー６１の拠点に届ける。
【００４６】
リサイクラー６１の拠点において、読み取り装置６０ａは、リサイクラー６１の操作に応じて、回収容器９５に付与された回収拠点識別情報と、回収容器９５に入れられた台紙に付与されているそれぞれの台紙識別情報を読み取る（ステップＳ１７）。台紙識別情報を読み取る際、リサイクラー６１は、どの銘柄のどの部材を取り付ける台紙であるかの確認や、その台紙に対応した回収対象物が所定数取り付けられているかを確認する。
リサイクラー端末６０は、読み取り装置６０ａによって読み取られた回収拠点識別情報と台紙識別情報に、読み取りを行った日時を示す回収日時とともに、回収管理サーバ２０に送信する（ステップＳ１８）。
【００４７】
回収管理サーバ２０は、リサイクラー端末６０から送信される回収拠点識別情報、台紙識別情報、回収日時を回収データ記憶部２０４に記憶する（ステップＳ１９）。ここでは、回収データ記憶部２０４に台紙識別情報が記憶されているため、受信した台紙識別情報に基づいて回収データ記憶部２０４に受信した回収拠点識別情報と回収日時とを対応付けて記憶する。このステップＳ１９を実行することで、回収データ記憶部２０４には、台紙識別情報、ユーザ識別情報、銘柄識別情報、回収拠点識別情報、回収日時が対応付けられて記憶される。なお、回収データ記憶部２０４は、メーカ識別情報について、台紙発行時に記憶しておいてもよいし、ステップＳ１９の段階で記憶しもよい。メーカ識別情報は、メーカ識別情報と銘柄識別情報とが対応付けられた商品データ情報を記憶部２０９に記憶しておき、回収管理サーバ２０の制御部２１０がこの記憶部２０９を参照し、銘柄識別情報に対応するメーカ識別情報を回収データ記憶部２０４に記憶するようにしてもよい。
【００４８】
集計タイミングが到来すると、集計部２０５は、集計処理を実行する（ステップＳ２０）。集計タイミングは、任意のタイミングであってもよく、例えば、所定の時刻が到来したタイミングであってもよいし、入力装置等を介してサービス運営者２１から入力される集計指示に応じて集計してもよい。集計部２０５は、集計処理を行うことで、図６Ｂ、図６Ｃ、図６Ｄに示すような各種情報を生成し、回収データ記憶部２０４に書き込む。この集計は、図６Ｂ、図６Ｃ、図６Ｄに示すような集計方法だけでなく、回収された素材毎に素材量の総量を集計するようにしてもよいし、素材別に回収店舗において回収された素材量を集計してもよい。
【００４９】
そして、制御部２１０は、集計結果をメーカサーバ１０に送信する（ステップＳ２１）。集計結果の送信は、定期的であってもよいし、メーカサーバ１０からの送信要求があったタイミングであってもよい。
【００５０】
インセンティブ付与部２０６は、集計結果に基づいて、ポイントを付与する（ステップＳ２２）。ポイントが付与されるタイミングは、例えば、集計結果が得られるタイミングであってもよい。
【００５１】
ユーザは、ユーザ端末３０にログインし、自身が保有するポイントを回収管理サーバ２０にアクセスして参照する。そして、ユーザ３１は、保有しているポイントにて交換可能な景品を選択することで応募する。ユーザ端末３０は、ユーザの操作入力に応じて、選択された景品の交換を指示する情報を回収管理サーバ２０に送信する（ステップＳ２３）。
【００５２】
回収管理サーバ２０は、ユーザ端末３０から景品交換の指示を受信すると、景品交換の要求元のユーザに対して景品を発送することを促す画面を表示することで、サービス運営者２１に通知する。この通知を参照することで、サービス運営者２１は、景品をユーザ３１に発送する（ステップＳ２４）。この景品発送は、メーカ１１から行うようにしてもよい。
【００５３】
また、回収管理サーバ２０は、集計結果に基づいて、回収拠点毎にインセンティブを付与する（ステップＳ２５）。このインセンティブは、例えば、回収対象物が貼り付けられた台紙が回収容器に入れられた個数等に応じた手数料であってもよい。また、回収された素材毎に、当該素材の回収量に応じたポイントをインセンティブとして付与してもよい。例えば、素材Ａを回収できた量が所定の量に達したことに応じて、予め決められた金額を回収拠点にサービス運営者２１から支払うための処理を回収管理サーバ２０のインセンティブ付与部２０６が実行してもよい。
【００５４】
以上説明した実施形態によれば、回収容器９５を回収対象物毎に別の回収容器９５を設置することで、ユーザ３１が、回収対象物が取り付けられた台紙を回収容器９５に入れる段階において、回収対象物毎に分けて回収することができる。これにより、リサイクラー６１の拠点において、部材毎に仕分けする場合、回収容器毎に、既に部材が分かれているため、分離・分別の手間を大幅に低減することができため、リサイクルの効率が向上する。例えば、回収対象物毎に、次工程において破砕処理をする、何らかの前処理をする等の後段の処理を円滑に開始することができる。
【００５５】
以上説明した実施形態によれば、回収に関する処理（ステップＳ１１からＳ２１）と、リサイクル処理（ステップＳ２２からステップＳ２５）についてのスキームを構築することができる。このようなスキームを構築することで、回収された加熱式たばこ８０の部材の数量や、素材毎に分別した後の量を管理することができ、インセンティブをユーザに与えることでリサイクルに貢献してもらうことができ、また、回収した素材を再資源化することもできる。さらに、メーカにとっては、環境面において貢献できていることを素材毎に把握でき、各種アピールポイントにもなる。また、メーカは素材を循環させることで、環境面における貢献度をさらに向上させることもできる。
【００５６】
また、上述の実施形態によれば、素材情報記憶部２０２に記憶された情報を元に素材毎に回収された量を集計するようにしたので、素材毎に分別して計量することなく、どの程度の量をリサイクルできたかについて、素材毎に理論値として導出することができる。
【００５７】
また、上述した実施形態によれば、使用後は破棄されていた部材を回収してリサイクルすることができるようになり、リサイクル率を向上させることができる。また、どの部材をどの程度回収出来たかを把握することができるため、いわゆる「見える化」することができ、リサイクル率の時系列の変化も把握しつつ、リサイクル率を向上させるための対応等を検討することが可能である。
【００５８】
また、以上説明した実施形態によれば、紙巻きたばこだけでなく、加熱式たばこや電子たばこ等の新しいタイプのたばこの流通量が増大したことに伴って新たに生じる、加熱式たばこ等の使用後の部材の取り扱いについて、破棄するのではなくリサイクルできる仕組みを提供することで、社会的な観点からより適切な対応をすることが可能となる。
【００５９】
また、ユーザにとっては、加熱式たばこ等の部材を一括して回収してもらうことができ、ユーザ自身が部材をさらに分別するような手間を省くことができる。たばこ販売店においては、回収拠点としても機能することで、新たなサービスをユーザに提供することで、集客効果を期待することができ、また、インセンティブを獲得することができる。回収業者は、現在の流通インフラを活かしつつ、リサイクル事業を新たに立ち上げることも可能となり、売り上げ向上が期待できる。メーカは、ユーザにインセンティブを与えることで、ユーザへのサービスを向上させることができ、ＣＳＲ（社会的責任）への貢献度合いを向上させることができる。
【００６０】
上述した実施形態において、回収容器９５には、リサイクラー６１に回収され、収容された台紙等が取り出された後、再度いずれかの回収拠点に設置し、この設置された回収拠点識別情報と回収容器情報とを対応付けして回収データ記憶部２０４に書き込むことで、回収容器９５を再利用することができる。
【００６１】
また、上述の実施形態によれば、回収管理サーバ２０は、回収された素材毎の量をメーカ毎に把握することができるため、リサイクルにかかる負担金あるいは素材の買い取り金額を求めるようにしてもよい。例えば、回収された素材のうち廃棄する素材については、その素材の量を把握することできるため、その素材の量に応じた処理費用をメーカ別に求めることもできる。また、回収された素材のうち、金属関連の素材等については、買い取り業者に買い取ってもらうことも可能な素材もあるため、その素材の量をメーカ別に求めることで、メーカに支払う買い取り金額を求めることもできる。
【００６２】
また、上述した実施形態において、台紙は、ユーザ端末３０に接続されたプリンタで印刷するか、サービス運営者２１が準備する場合について説明したが、加熱式たばこ８０の外箱を台紙として利用するか、あるいは、外箱に回収対象物を収容して回収するようにしてもよい。例えば、加熱式たばこ８０を出荷する前の段階において、外箱の内周面側に台紙識別情報を印刷しておき、ユーザがこの外箱を利用することで台紙として利用してもよい。これにより、加熱式たばこ８０の外箱も回収対象とすることでリサイクル対象の部材を増やすことができ、リサイクルへの貢献度を向上させることができる。
【００６３】
また、上述した実施形態においては、使用された後の加熱式たばこ８０の部材を回収する場合について説明したが、故障した部材や使用しなくなった部材を回収する異に適用することもできる。
【００６４】
なお、上述した実施形態において、回収管理サーバ２０は、１つのサーバ装置によって構成される場合について説明したが、複数のサーバ装置が連携することで回収管理サーバ２０の機能を実現するようにしてもよい。
【００６５】
上述した実施形態における回収管理サーバ２０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１…回収支援システム、１０…メーカサーバ、１１…メーカ、２０…回収管理サーバ、２１…サービス運営者、３０…ユーザ端末、３１…ユーザ、４０…回収拠点端末、４０…回収拠点端末、４１…回収拠点、５０…回収業者端末、５１…回収業者、６０…リサイクラー端末、６０ａ…装置、６１…リサイクラー、７０…ネットワーク、９０…台紙、９０ａ…台紙名称記載欄、９０ｂ…台紙識別情報、９０ｃ…折り線、９０ｄ…使用方法説明欄、９０ｅ…欄、９５…回収容器、９５ｄ…二次元バーコード、２０１…情報取得部、２０２…素材情報記憶部、２０３…素材情報取得部、２０４…回収データ記憶部、２０５…集計部、２０６…インセンティブ付与部、２０７…ポイント記憶部、２０８…通信部、２０９…記憶部、２１０…制御部
【図１】
2020170447.tif 000003
【図２】
2020170447.tif 000004
【図３Ａ】
2020170447.tif 000005
【図３Ｂ】
2020170447.tif 000006
【図４】
2020170447.tif 000007
【図５】
2020170447.tif 000008
【図６Ａ】
2020170447.tif 000009
【図６Ｂ】
2020170447.tif 000010
【図６Ｃ】
2020170447.tif 000011
【図６Ｄ】
2020170447.tif 000012
【図７Ａ】
2020170447.tif 000013
【図７Ｂ】
2020170447.tif 000014
【図８】
2020170447.tif 000015